(57)【特許請求の範囲】
【請求項１】
軒側となる板部（１）の前縁に下方へ屈曲する係止部（２）を、棟側となる板部（１）の後縁に上方へ屈曲する係合部（３）をそれぞれ有する屋根材（Ａ）を、吊子（４）を用いて屋根の傾斜方向に直交する方向に敷設する横葺き屋根構造であって、前記板部前縁側の係止部（２）下縁を内方に屈曲して山形状係止片部（５）となすとともに、前記板部後縁の係合部（３）を、前記山形状係止片部（５）に係合する第１の係合部（６）および前記板部前縁側係止部（２）の垂下部内面（７）に当接する第１、第２の折曲部（８），（９）ならびに吊子（４）の係合部（１０）に係合する第２の係合部（１１）を有する断面略横Ｍ字状の立上り係合部（Ｂ）となし、軒側となる屋根材（Ａ）の板状バックアップ材（１７）の後端（棟側端部）に、次の棟側となる屋根材（Ａ´）の板状バックアップ材（１７´）の前端（軒側端部）を重合し、この状態で吊子（４）と前記両板状バックアップ材（１７），（１７´）を止着部材（１９）にて屋根構体（１８）と一体に固着し、さらに前記軒側に位置する屋根材（Ａ）の棟側の断面略横Ｍ字状の立上り係合部（Ｂ）の第２の係合部（１１）を前記吊子（４）の係合部（１０）に係合するとともに、前記棟側に位置する屋根材（Ａ´）の係止部（２）下縁に形成した山形状係止片部（５）を前記軒側に位置する屋根材（Ａ）の断面略横Ｍ字状の立上り係合部（Ｂ）の第１の係合部（６）に係合し、両屋根材（Ａ），（Ａ´）を連結したことを特徴とする横葺き屋根構造。
【請求項２】
軒側となる板部（１）の前縁に下方へ屈曲する係止部（２）を、棟側となる板部の後縁に上方へ屈曲する係合部（３）を、また妻側となる一側縁に重ね合せ部となる連結部（１２）をそれぞれ有する屋根材（Ａ）を、吊子（４）を用いて屋根の傾斜方向に直交する方向に敷設する横葺き屋根構造であって、前記板部前縁側の係止部（２）下縁を内方に屈曲して山形状係止片部（５）となすとともに、前記板部後縁の係合部（３）を、前記山形状係止片部（５）に係合する第１の係合部（６）および前記板部前縁側係止部（２）の垂下部内面（７）に当接する第１、第２の折曲部（８），（９）ならびに吊子（４）の係合部（１０）に係合する第２の係合部（１１）を有する断面略横Ｍ字状の立上り係合部（Ｂ）となし、さらに前記板部の重ね合せ部となる連結部（１２）を一段低い段差付き連結部（１２ａ）となすとともに、前記段差付き連結部（１２ａ）の外側縁に樋形成用の立上り縁（１３）を、また前記段差付き連結部（１２ａ）に対応する板部（１）の他側縁に樋形成用の垂下縁（１４）をそれぞれ設け、軒側となる屋根材（Ａ）の板状バックアップ材（１７）の後端（棟側端部）に、次の棟側となる屋根材（Ａ´）の板状バックアップ材（１７´）の前端（軒側端部）を重合し、この状態で吊子（４）と前記両板状バックアップ材（１７），（１７´）を止着部材（１９）にて屋根構体（１８）と一体に固着し、さらに妻方向に連結する屋根材（Ａ），（Ａ´）の連結端部を重ね合せ状態として、前記軒側に位置する屋根材（Ａ）の棟側の断面略横Ｍ字状の立上り係合部（Ｂ）の第２の係合部（１１）を前記吊子（４）の係合部（１０）に係合するとともに、前記棟側に位置する屋根材（Ａ´）の係止部（２）下縁に形成した山形状係止片部（５）を前記軒側に位置する屋根材（Ａ）の断面略横Ｍ字状の立上り係合部（Ｂ）の第１の係合部（６）に係合し、両屋根材（Ａ），（Ａ´）を連結したことを特徴とする横葺き屋根構造。
【発明の詳細な説明】
【０００１】
【発明の属する技術分野】
本発明は、吊子を用いた横葺き屋根構造に関するものである。
【０００２】
【従来の技術】
従来、吊子を用いた横葺き屋根構造として、例えば特開平２０００−６４５１６号公報の如きものがある。このものは棟側端部に上面側に折れ曲がる折曲部が形成され、軒側端部に下面側に折れ曲がる屈曲部が形成されてなる複数の折板屋根材と、屋根構体への取付片と折返し片を有する係止部とが一体形成されてなる複数の連結部材とを屋根構体上の所定位置に配置するとともに、屋根面傾斜方向において互いに隣接する折板屋根材について、棟側に位置する折板屋根材の軒側端部の屈曲部に、連結部材の係止部を引っ掛けた状態で、連結部材を屋根構体に固定し、この連結部材の係止部の折返し片及び棟側に位置する折板屋根材の軒側端部の屈曲部に、軒側に位置する折板屋根材の棟側端部の屈曲部を引っ掛けて、これら棟側と軒側の折板屋根材を連結するようにしたものであって、屋根の葺き上げ施工時に特殊な形状の吊子を用いることにより、屋根材を棟側から軒側にかけて葺くことができるようにし、施工時に屋根材に足跡等の汚れがついたり、屋根材が変形する恐れがないようにしたものである。
【０００３】
【発明が解決しようとする課題】
ところが、上記従来技術においては、屋根材を棟側から軒側にかけて葺くようにしたため、吊子の形状が複雑となるばかりでなく、前記吊子に係合する屋根材の係合部、即ち棟側に位置する屋根材の軒側端部の屈曲部と、軒側に位置する屋根材の棟側端部の屈曲部の形状が複雑となるとともに、吊子に対する前記屋根材の各係合部の係合操作も面倒で、施工性が甚だ悪いという問題点があった。また、前記屋根材の各係合部における係合状態は、軒側端部の屈曲部の水平片先端部が棟側端部の屈曲部の下面に当接しているだけなので、該当接部から雨水が毛細管現象により係合部内に浸入する惧れがあるばかりでなく、棟側端部の屈曲部は断面が略Ｓ字状であるため弾力性が弱く、風圧、衝撃等に対する耐強度が低いとともに全体的に係合部における高い雨仕舞効果が期待できないという問題点があった。
【０００４】
【課題を解決するための手段】
本発明は上記課題を解決することを目的とし、（１）軒側となる板部の前縁に下方へ屈曲する係止部を、棟側となる板部の後縁に上方へ屈曲する係合部をそれぞれ有する屋根材を、吊子を用いて屋根の傾斜方向に直交する方向に敷設する横葺き屋根構造であって、前記板部前縁側の係止部下縁を内方に屈曲して山形状係止片部となすとともに、前記板部後縁の係合部を、前記山形状係止片部に係合する第１の係合部および前記板部前縁側係止部の垂下部内面に当接する第１、第２の折曲部ならびに吊子の係合部に係合する第２の係合部を有する断面略横Ｍ字状の立上り係合部となし、軒側となる屋根材の板状バックアップ材の後端（棟側端部）に、次の棟側となる屋根材の板状バックアップ材の前端（軒側端部）を重合し、この状態で吊子と前記両板状バックアップ材を止着部材にて屋根構体と一体に固着し、さらに前記軒側に位置する屋根材の棟側の断面略横Ｍ字状の立上り係合部の第２の係合部を前記吊子の係合部に係合するとともに、前記棟側に位置する屋根材の係止部下縁に形成した山形状係止片部を前記軒側に位置する屋根材の断面略横Ｍ字状の立上り係合部の第１の係合部に係合し、両屋根材を連結したことを特徴とする。（２）軒側となる板部の前縁に下方へ屈曲する係止部を、棟側となる板部の後縁に上方へ屈曲する係合部を、また妻側となる一側縁に重ね合せ部となる連結部をそれぞれ有する屋根材を、吊子を用いて屋根の傾斜方向に直交する方向に敷設する横葺き屋根構造であって、前記板部前縁側の係止部下縁を内方に屈曲して山形状係止片部となすとともに、前記板部後縁の係合部を、前記山形状係止片部に係合する第１の係合部および前記板部前縁側係止部の垂下部内面に当接する第１、第２の折曲部ならびに吊子の係合部に係合する第２の係合部を有する断面略横Ｍ字状の立上り係合部となし、さらに前記板部の重ね合せ部となる連結部を一段低い段差付き連結部となすとともに、前記段差付き連結部の外側縁に樋形成用の立上り縁を、また前記段差付き連結部に対応する板部の他側縁に樋形成用の垂下縁をそれぞれ設け、軒側となる屋根材の板状バックアップ材の後端（棟側端部）に、次の棟側となる屋根材の板状バックアップ材の前端（軒側端部）を重合し、この状態で吊子と前記両板状バックアップ材を止着部材にて屋根構体と一体に固着し、さらに妻方向に連結する屋根材の連結端部を重ね合せ状態として、前記軒側に位置する屋根材の棟側の断面略横Ｍ字状の立上り係合部の第２の係合部を前記吊子の係合部に係合するとともに、前記棟側に位置する屋根材の係止部下縁に形成した山形状係止片部を前記軒側に位置する屋根材の断面略横Ｍ字状の立上り係合部の第１の係合部に係合し、両屋根材を連結したことを特徴とする。
【０００５】
【発明の実施の形態】
本発明の実施の形態を、以下図面について説明する。図１は本発明の横葺き屋根構造における横葺き屋根材の断面図、図２は板状バックアップ材の一例を示す断面図、図３は施工状態の一例を示す断面図、図４は同図Ｘ部の拡大図、図５は横葺き屋根材における段差付き連結部の一形態を示す斜視図、図６は段差付き連結部の連結状態の一例を示す断面図、図７は屋根材板部後縁の第１の係合部にリブを設けた場合の一例を示す説明図である。
【０００６】
図１において、屋根材Ａは鋼板またはアルミニウム板等の板材を折り曲げ加工した横長の部材で、図２に示すように屋根を葺く際に軒側となる板部１の前縁と棟側となる板部１の後縁に、それぞれ連結用の係止部２と係合部３が形成されている。軒側となる係止部２は、下縁を内方に屈曲した山形状係止片部５に形成され、その先端部は折曲片部５ａとされている。また棟側となる係合部３は、前記山形状係止片部５に係合する第１の係合部６および前記係止部２の垂下部内面７に上、下２段に亘って当接する第１、第２の折曲部８，９ならびに施工の際に吊子４の係合部１０に係合する第２の係合部を有する断面略横Ｍ字状の立上り係合部Ｂに形成されている。
【０００７】
図５は屋根材Ａの妻側となる一側縁に重ね合せ部となる連結部１２を形成した場合の一例を示すものであって、前記連結部１２は一段低い段差付き連結部１２ａに形成されるとともに、前記段差付き連結部１２ａの外側縁には樋形成用の立上り縁１３が形成され、また前記段差付き連結部１２ａに対応する板部１の他側縁にも樋形成用の垂下縁１４が形成されている。なお、前記垂下縁１４は必要に応じ設けない場合もある。
【０００８】
図５において、１６は前記段差付き連結部１２ａに設けられた補強兼樋形成用凸リブである。１７は施工時に用いられる板状バックアップ材であって、例えば屋根材Ａと同質の材料あるいは発泡プラスチック製断熱材、木質材、木毛板等、適宜のものが使用される。１８は屋根構体を示すものであって、例えば垂木や野地板、あるいはこれらに代る屋根用の構造体を云う。なお、吊子４は屋根材Ａと同質の材料で形成されるが、必要に応じ他の材料を使用することも可能である。
【０００９】
さらにまた、図６に示すように施工条件によっては屋根材Ａの段差付き連結部１２ａの下部に板状バックアップ材１７を用いない場合もある。１９は皿ビスその他適宜の止着部材である。２０は屋根材板部後縁の第１の係合部に設けたリブである。なお、本発明における屋根材Ａは妻側となる一側縁に段差付き連結部１２ａを設けずに、他の所要のジョイント部材（図示せず）を用いて屋根葺きを行うことも可能である。
【００１０】
次に施工について説明する。先ず図３に示すように軒側となる屋根材Ａの板状バックアップ材１７の後端、即ち棟側端部に、次の棟側となる屋根材Ａ´の板状バックアップ材１７´の前端、即ち軒側端部を重合し、この状態で吊子４と前記両板状バックアップ材１７，１７´を皿ビス等の止着部材１９にて屋根構体１８と一体に固着する。次に前記軒側に位置する屋根材Ａの棟側の断面略横Ｍ字状の立上り係合部Ｂの第２の係合部１１を前記吊子４の係合部１０に係合するとともに、前記棟側に位置する屋根材Ａ´の係止部２下縁に形成した山形状係止片部５を前記軒側に位置する屋根材Ａの断面略横Ｍ字状の立上り係合部Ｂの第１の係合部６に係合し、両屋根材Ａ，Ａ´を連結して横葺き屋根構造となすものである。然る時は前記棟側に位置する屋根材Ａ´の係止部２の垂下部内面７に前記軒側に位置する屋根材Ａの断面略横Ｍ字状の立上り係合部Ｂの第１、第２の折曲部８，９が弾力的に当接し連結部全体が所要の弾性力をもって確実に連結されるものである。なお、屋根材Ａと板状バックアップ材１７の施工寸法はあらかじめ施工条件により設定されているので、各屋根材は正確に連結施工されるものである。
【００１１】
なお、妻側となる一側縁に段差付き連結部１２ａを設けた屋根材Ａの施工に際しては、上記施工時に、図５、図６に示すように、妻方向に連結する屋根材Ａ，Ａ´の連結端部を重ね合せ状態として施工するものである。
【００１２】
【発明の効果】
以上説明したように、本発明の横葺き屋根構造は屋根材の軒側となる係止部と棟側となる係合部の連結を吊子を介して容易かつ確実に行うことができ、施工性のきわめて良好なるものであるとともに、前記屋根材の係止部および係合部の連結は、軒側となる係止部の下縁を内方に屈曲して山形状係止片部となし、棟側となる係合部は、前記山形状係止片部に係合する第１の係合部および前記係止部の垂下部内面に当接する第１、第２の折曲部ならびに吊子の係合部に係合する第２の係合部を有する断面略横Ｍ字状の立上り係合部となして、前記軒側となる係止部の山形状係止片部を前記棟側となる断面略横Ｍ字状の立上り係合部の第１の係合部に係合し、また前記断面略横Ｍ字状の立上り係合部の第１、第２の折曲部を前記軒側となる係止部の垂下部内面に当接した状態で連結が行われるので、連結部全体が屋根材自体の弾性および形状による弾撥力により確実に連結され、該部から雨水の浸入が充分防止されるばかりでなく、連結部の構造も強度的に強くなり、風圧、衝撃等に対する耐強度が増長されるものである。
【００１３】
さらにまた、本発明においては、妻方向の連結部における雨水の浸入を段差付き連結部の外側縁に設けた樋形成用の立上り縁によって防ぐことができ、全体的に雨仕舞効果に優れたものである。
【図面の簡単な説明】
【図１】本発明の横葺き屋根材の断面図である。
【図２】板状バックアップ材の一例を示す断面図である。
【図３】施工状態の一例を示す断面図である。
【図４】図３におけるＸ部の拡大図である。
【図５】横葺き屋根材における段差付き連結部の一形態を示す斜視図である。
【図６】段差付き連結部の連結状態の一例を示す断面図である。
【図７】屋根材板部後縁の第１の係合部にリブを設けた場合の一例を示す説明図である。
【符号の説明】
１  板部
２  係止部
３  係合部
４  吊子
５  山形状係止片部
５ａ  折曲片部
６  第１の係合部
７  垂下部内面
８，９  第１、第２の折曲部
１０  係合部
１１  第２の係合部
１１ａ  折曲板部
１２  連結部
１２ａ  段差付き連結部
１３  立上り縁
１４  垂下縁
１６  補強兼樋形成用凸リブ
１７，１７´  板状バックアップ材
１８  屋根構体
１９  止着部材
２０  リブ
Ａ，Ａ´  屋根材
Ｂ  係合部
【図１】
0004387042.tif 000002
【図２】
0004387042.tif 000003
【図３】
0004387042.tif 000004
【図４】
0004387042.tif 000005
【図５】
0004387042.tif 000006
【図６】
0004387042.tif 000007
【図７】
0004387042.tif 000008